(57)【特許請求の範囲】
【請求項１】
建物の床を暖房する床暖房システムであって、
互いに離隔する上床部と下床部によって構成され、内部に床内部空間を有する二重構造床と、
該二重構造床と基礎部床下空間との間に設けられた断熱部と、
前記床内部空間に室内空間の空気を圧送する送風機と、
前記床内部空間から前記室内空間に空気を吹き出させる吹出口と、
前記床内部空間に配設され、一端が浴槽からの流出口であり他端が浴槽への流入口であるパイプと、
該パイプと前記浴槽との間で湯を循環させるポンプと
を具備することを特徴とする床暖房システム。
【請求項２】
前記室内空間の上部に設けられた暖房装置と、
前記室内空間において前記暖房装置の近傍に上端が開口し、下端が前記床内部空間と接続されたダクトとを更に具備し、
前記送風機は、前記ダクトを介して前記室内空間の空気を前記床内部空間に圧送する
ことを特徴とする請求項１に記載の床暖房システム。
【請求項３】
請求項１または請求項２に記載の床暖房システムを使用した床暖房方法であって、
風呂の残り湯を前記パイプと前記浴槽との間で循環させ、前記パイプを介して前記残り湯との間で熱交換させることにより前記床内部空間の空気を加熱し、加熱された空気で前記上床部を下面側から加熱すると共に、加熱された空気を前記吹出口から前記室内空間に吹き出させ、前記室内空間を暖房しながら前記上床部を上面側から加熱する
ことを特徴とする床暖房方法。
【発明の詳細な説明】
【技術分野】
【０００１】
本発明は、床暖房システム、及び、該床暖房システムを使用した床暖房方法に関するものである。
【背景技術】
【０００２】
床暖房システム及び床暖房方法として、床材にパイプを内蔵した床パネルに温水を通して床材を暖めるものや、床材に電気ヒータを内蔵した床パネルに通電して床材を暖めるものが公知である。しかしながら、これらは床暖房のための専用の熱源を要するものであるため、ランニングコストが嵩むという問題があった。
【０００３】
また、床材に内蔵された温水パイプや電気ヒータによって床材を直接的に加熱するため、床材が高温となり得る。そのため、床材が乾燥して反りやひび割れが生じるという問題や、それを防止するために耐熱性が高められた床材を使用することにより高コストとなると共に、床材の選択の自由度が低いという問題があった。
【０００４】
そこで、本発明者は過去に、太陽光を有効に利用して穏やかに床暖房を行う床暖房システムを提案し、実施している（特許文献１，２参照）。特許文献１の技術は、太陽光を透過させやすい窓部を設ける一方で、床を上床部と下床部とからなる二重構造床とし、室内空間の上方に上端が開口したダクトの下端を二重構造床の内部の床内部空間に接続することにより、ダクトを介して室内空間の空気を床内部空間に送風機で圧送すると共に、床内部空間と室内空間とを連通部で連通させたものである。このような構成により、窓部を透過した太陽光によって加熱された室内空間の空気は、ダクトを介して床内部空間に導入される。これにより、太陽光で加熱された空気で二重構造床が暖められると共に、加熱された空気が連通部から噴出して室内空間が暖められる。また、特許文献２の技術は、上記の二重構造床、ダクト及び連通部に加えて、屋根面に沿って空気を流通可能な屋根通気空間と、屋根通気空間を流通した空気を流入させるチャンバーと、チャンバー内の空気を室内空間に放出させる送風機とを設けたものである。このような構成により、屋根通気空間で太陽光によって加熱された空気は、チャンバーに取り入れられた後、室内空間に放出されダクトを介して床内部空間に導入される。これにより、太陽光で加熱された空気で二重構造床が暖められると共に、加熱された空気が連通部から噴出して室内空間が暖められる。
【０００５】
従って、特許文献１，２の技術では、太陽光という自然のエネルギーを床暖房に利用しており、床暖房のための専用の熱源を要しないため、ランニングコストを抑えることができる。また、特許文献１の技術では太陽光によって加熱されるのは室内空間の空気であり、特許文献２の技術では屋根通気空間で太陽光によって加熱された空気はいったん室内空間に放出されるため、加熱された空気が導入される床内部空間が過度に高温となることがない。そのため、特に耐熱性の高められた床材でなくとも、床材が反ったりひび割れたりするおそれがなく、床材の選択の自由度が高いという利点を有している。
【０００６】
本発明は、このような特許文献１，２の技術と同様の作用効果を、異なる手段で実現することにより、床暖房のための専用の熱源を要することなく、床を過度に加熱することがない床暖房の選択範囲を、更に拡張することを目的としてなされたものである。
【先行技術文献】
【特許文献】
【０００７】
【特許文献１】特許第４６３８８３１号公報
【特許文献２】特許第４７５１３６３号公報
【発明の概要】
【発明が解決しようとする課題】
【０００８】
上記のように、本発明は、床暖房のための専用の熱源を要することなく、床を過度に加熱することがない床暖房システム、及び、該床暖房システムを使用した床暖房方法の提供を、課題とするものである。
【課題を解決するための手段】
【０００９】
上記の課題を解決するため、本発明にかかる床暖房システムは、
「建物の床を暖房する床暖房システムであって、
互いに離隔する上床部と下床部によって構成され、内部に床内部空間を有する二重構造床と、
該二重構造床と基礎部床下空間との間に設けられた断熱部と、
前記床内部空間に室内空間の空気を圧送する送風機と、
前記床内部空間から前記室内空間に空気を吹き出させる吹出口と、
前記床内部空間に配設され、一端が浴槽からの流出口であり他端が浴槽への流入口であるパイプと、
該パイプと前記浴槽との間で湯を循環させるポンプとを具備する」ものである。
【００１０】
「二重構造床」は、上床部及び下床部を上下に離隔させた状態で、両床部の間に支持部材やスペーサを配することによって構成させることができ、両床部の間に「床内部空間」が形成される。ここで、床内部空間の高さ（上床部及び下床部の離間距離）が小さ過ぎる場合は、空気が流通する際の抵抗が大となる一方で、床内部空間の高さが大き過ぎる場合は、空気が流通する際に対流が生じ易くなる。そのため、床内部空間に空気を良好に流通させるためには、床内部空間の高さは２０ｍｍ〜７０ｍｍが望ましく、２５ｍｍ〜４０ｍｍであれば更に望ましい。
【００１１】
「断熱部」は、下床部の下面または上面にボード状、シート状、マット状等の断熱材を積層することにより形成することができる。或いは、下床部を更に二重構造とし、その内部の空間に断熱材を充填することにより形成することができる。
【００１２】
室内空間の空気を床内部空間に「送風機によって圧送させる」構成としては、室内空間に開口する管路の端部を床内部空間に接続し、管路の両端部及び中途の少なくとも一箇所に、送風機を設けた構成を例示することができる。或いは、床内部空間に連通する通気口を上床部に設け、通気口に取り付けた送風機で室内空間の空気を吸気する構成とすることもできる。なお、「室内空間」の語は、屋根裏や天井裏の空間をも含める意味で用いている。
【００１３】
「吹出口」は、上床部に貫通する孔部を設けることにより、上床部と壁との間に間隙を残して孔部とすることにより、或いは、壁を二重構造としその内部空間を床内部空間と連通させた上で内壁に貫通する孔部を設けることとにより、形成することができる。このような吹出口は、開度を調整可能なガラリで被覆すれば、吹出口から噴出させる空気の量を調整することができ、好適である。
【００１４】
「パイプ」は、二重構造床を構成する下床部の上面に固定することにより、床内部空間に配設することができる。このようにすることにより、床材の下面にパイプを貼り付けるように配設する場合に比べ、パイプを安定して固定することができる。なお、「パイプ」は床内部空間内を蛇行させて配設すれば、パイプ内を流通する湯と床内部空間内の空気とのパイプを介した接触面積が増加し、熱交換量が増加するため望ましい。
【００１５】
上記構成の本発明では、床内部空間に配設されたパイプに浴槽内の湯を流通させることにより、湯と床内部空間の空気とで熱交換させ、床内部空間の空気を加熱することができる。二重構造床と基礎部床下空間との間には断熱部が設けられているため、パイプ内を流通する湯の熱が、熱容量の高い基礎部や、容積の大きな基礎部床下空間に奪われることが抑制されており、床内部空間の空気が効率よく加熱される。床内部空間には、送風機によって室内空間の空気が圧送されており、圧送された空気は吹出口から室内空間に吹き出すため、室内空間と床内部空間との間で空気の循環路が形成されている。これにより、湯との熱交換により加熱された床内部空間の空気は吹出口から室内空間に吹き出し、上床部の上面や室内空間の空気を暖める。また、加熱された床内部空間の空気は、上床部を下面側からも暖める。室内空間に吹き出した空気は、送風機によって再び床内部空間に圧送され、パイプ内を循環する湯と熱交換して加熱される。
【００１６】
本発明によれば、浴槽内の湯をパイプで循環させることにより、床内部空間の空気を加熱し、床暖房することができる。従って、循環させる湯として風呂の残り湯を使用すれば、残り湯の有する熱という、従来では「捨てられていた熱」を熱源として床暖房に活用することができる。これにより、床暖房のための専用の熱源を要することなく、床暖房をすることが可能となる。ここで、日本の一般家庭の年間光熱費において、風呂の給湯のための費用の割合は、実に３割以上を占めるという報告がある。つまり、従来は、高い費用をかけて作った熱エネルギーを、入浴後に廃棄して無駄にしていた訳である。本発明によれば、このような無駄を低減してエネルギー資源を有効に活用することができると共に、専用の熱源を使用する場合に比べてランニングコストを抑えて床暖房をすることができる。
【００１７】
本発明にかかる床暖房システムは、上記構成に加え、
「前記室内空間の上部に設けられた暖房装置と、
前記室内空間において前記暖房装置の近傍に上端が開口し、下端が前記床内部空間と接続されたダクトとを更に具備し、
前記送風機は、前記ダクトを介して前記室内空間の空気を前記床内部空間に圧送する」ものとすることができる。
【００１８】
「暖房装置」としては、冷暖房用のエアコンディショナ、電気ヒータ、ガスヒータ等を使用可能である。また、暖房装置が設けられる室内空間の「上部」とは、暖かい空気が上昇して集まり易い室内空間の上層部を指し、建物の構造によっても異なるが、例えば、切妻屋根等の山型の屋根を有する建物の場合は、棟部に近い屋根裏空間とし、片流れ屋根を有する建物の場合は、屋根の高い側の屋根裏空間とすることができる。
【００１９】
「ダクト」は、暖房装置の近傍の加熱された空気を床内部空間に移送するための構成であり、円筒状や角筒状とすることができる。ダクトの上端は暖房装置の近傍に開口させるが、暖房装置によって加熱された空気を効率よくダクト内に導くために、暖房装置の周囲に囲いを設け、その囲いの中にダクトの上端を開口させることができる。なお、ダクトを介して室内空間の空気を床内部空間に圧送する「送風機」は、ダクトの上端、中途、及び下端の少なくとも一箇所に設けることができる。
【００２０】
本構成は、冬季など低温の際には大抵の家庭で使用される暖房装置を床暖房に活用し、風呂の残り湯を活用した床暖房と併用する構成である。暖かい空気は自ずと上昇するため、室内空間の空気を暖めるという通常の目的の場合は、暖房装置を室内空間の上部に設けることは不利である。これに対し、本発明では敢えて暖房装置を室内空間の上部に設け、暖房装置によって加熱された空気を、まず、ダクトを介して床内部空間に導く。上記のように、床内部空間にはパイプが配設されており、浴槽の湯が循環している。これにより、暖房装置で加熱された空気は、パイプ内を流通する湯との熱交換によって加熱され、更に高温となる。床内部空間で加熱された空気は、上床部を下面側から暖めると共に、吹出口から吹き出す。吹出口から吹き出した空気は、上床部の上面や室内空間の空気に熱を与えながら上昇し、室内空間の上部に達することにより暖房装置で再び加熱され、更にダクトを介して床内部空間に導入される。
【００２１】
従って、本構成によれば、床内部空間の空気を加熱するための熱源として、浴槽の残り湯に加えて、寒冷期には大抵の家庭で使用される暖房装置を利用する。これにより、床暖房のための専用の熱源ではない熱源どうしを併用することにより、より経費を抑えて、より効率よく床暖房をすることができる。
【００２２】
また、暖かい空気は自ずと上昇するため、窓から射し込んだ太陽光によって暖められた空気や、台所での火の使用や他の暖房器具、照明器具で発生した熱など、居住者の生活に伴って発生する熱によって暖められた空気も、自ずと上昇して室内空間の上部に集まる。このようにして室内空間の上部に集まった暖かい空気も、暖房装置によって加熱された空気と共に、ダクトを介して床内部空間へ移送される。これにより、浴槽の湯や暖房装置を熱源として加熱された空気に加えて、他の要因により室内で発生した暖かい空気をも、総合的に無駄なく活用して床暖房をすることができる。
【００２３】
次に、本発明にかかる床暖房方法は、
「上記に記載の床暖房システムを使用した床暖房方法であって、
風呂の残り湯を前記浴槽と前記パイプとの間で循環させ、前記パイプを介して前記残り湯との間で熱交換させることにより前記床内部空間の空気を加熱し、加熱された空気で前記上床部を下面側から加熱すると共に、加熱された空気を前記吹出口から前記室内空間に吹き出させ、前記室内空間を暖房しながら前記上床部を上面側から加熱する」ものである。
【００２４】
本発明は、上記構成の床暖房システムを使用することにより可能となるものであり、風呂の残り湯の有する従来は「捨てられていた熱エネルギー」を、床暖房の熱源として活用するものである。これにより、既に上述したように、エネルギー資源の無駄を低減し、ランニングコストを抑えて床暖房をすることができる。また、風呂の残り湯の温度は、高くても４２℃程度であるため、残り湯との熱交換により加熱された床内部空間の温度がそれ以上になることはない。従って、床材に内蔵されたパイプに６０℃程度の温水を流通させる従来の床暖房方法や、床材に内蔵された電気ヒータに通電することにより、使用者の設定いかんでかなりの高温となり得る従来の床暖房方法とは異なり、床を過度に加熱することなく床暖房をすることができる。
【発明の効果】
【００２５】
以上のように、本発明の効果として、床暖房のための専用の熱源を要することなく、床を過度に加熱することがない床暖房システム、及び、該床暖房システムを使用した床暖房方法を、提供することができる。
【図面の簡単な説明】
【００２６】
【図１】本発明の一実施形態の床暖房システムが適用された建物の縦断面図である。
【図２】図１における要部の拡大図である。
【図３】図１の建物の見取り図である。
【図４】図１の床暖房システムの適用時における温度変化を示すグラフである。
【図５】本発明の他の実施形態の床暖房システムが適用された建物の縦断面図である。
【発明を実施するための形態】
【００２７】
以下、本発明の一実施形態である床暖房システム、及び、該床暖房システムを使用した床暖房方法について、図１乃至図４に基づいて説明する。
【００２８】
まず、本実施形態の床暖房システム及び本システムを適用した建物１の構成について説明する。建物１は、図１乃至図３に示すように、互いに離隔する上床部１１と下床部１２によって構成され、内部に床内部空間１５を有する二重構造床１０と、二重構造床１０と基礎部床下空間５５との間に設けられた断熱部３０と、床内部空間１５に室内空間６０の空気を圧送する送風機２１と、床内部空間１５から室内空間６０に空気を吹き出させる吹出口１７と、床内部空間１５に配設され、一端が浴槽６７からの流出口４１であり他端が浴槽６７への流入口４２であるパイプ４０と、パイプ４０と浴槽６７との間で湯を循環させるポンプ４５とを具備している。
【００２９】
加えて、建物１は、室内空間６０の上部に設けられた暖房装置４７と、室内空間６０において暖房装置４７の近傍に上端が開口し、下端が床内部空間１５と接続されたダクト２０とを更に具備しており、送風機２１は、ダクト２０を介して室内空間６０の空気を床内部空間１５に圧送する。
【００３０】
より詳細に説明すると、本実施形態の建物１はロフトを有する二階建て建築であり、室内空間６０は、一階空間６１、二階空間６２、及び、ロフトにおける屋根裏空間６３により一部が三層となっていると共に、一部は一階から屋根裏まで吹き抜けた吹き抜け空間６４となっている。
【００３１】
二重構造床１０は、下床部１２と化粧仕上げされた上床部１１とを、図示しないスペーサを処々に配することにより２５ｍｍ〜４０ｍｍ離隔させて構成されている。また、二重構造床１０は、ダクト２０の下端の開口から排出される空気を、床内部空間１５に導入する前に拡げるための空気拡張空間としてのピット２５を有している。ピット２５は、壁に沿った細長い断面コ字形の凹状であり、その開口縁が下床部１２に連続している。なお、空気拡張空間は凹状とする他、本実施形態のピット２５を上下逆さまにしたような下方に開口する函状に形成し、その開口縁を上床部１１に連設することによっても形成することができる。
【００３２】
上床部１１には、貫通した吹出口１７が処々に設けられている。これらの吹出口１７は細長いスリットであり、何れも開度を調整可能なガラリで被覆されている。
【００３３】
断熱部３０は、下床部１２の下面に断熱ボードが貼着されることによって形成されている。また、ダクト２０を介してピット２５に導入された空気が冷却されることを防止するために、ピット２５の底面及び側面にも同様に、断熱ボードよるピット断熱部３１が設けられている。断熱部３０の下方の空間は、建物１の基礎部５５に囲まれた基礎部床下空間５５であり、基礎部床下空間５５は床内部空間１５とは連通していない。この基礎部床下空間５５は図示しない通気口を介して屋外と通気させることができ、通気口は開閉可能である。
【００３４】
ダクト２０は、直径１５０ｍｍ〜２５０ｍｍの円筒状であり、吹き抜け空間６４において立設され、下端の開口がピット２５内に上方から挿入されている。ピット２５の開口部のうち、ダクト２０の下端が挿入されている部分以外の残余部分は、取り外し可能なピット蓋部２６によって覆われており、ピット蓋部２６の上面は上床部１１の上面と同一面である。
【００３５】
ダクト２０の上端は、屋根裏空間６３で開口している。つまり、本実施形態では、屋根裏空間６３が「室内空間６０の上部」に相当する。この屋根裏空間６３には、暖房装置４７としての冷暖房用エアコンディショナが設置されており、暖房装置４７の正面（温風吹出し面）の周囲には、図示しない「囲い」が設けられている。その囲いの中で、ダクト２０の上端が暖房装置４７の正面に対面するように開口している。また、送風機２１はプロペラファンやシロッコファン等のファンであり、本実施形態ではダクト２０の中途位置において、その内部に設けられている。
【００３６】
パイプ４０は、直径９ｍｍ〜１６ｍｍの樹脂製であり、二重構造床１０の床内部空間１５で蛇行するように下床部１２に固定されている。パイプ４０の一端の流出口４１は、浴室６６の浴槽６７の底部近くの側壁に接続されている。パイプ４０の他端の流入口４２は、浴室６６において浴槽６７が接する壁面に開口しており、流入口４２には浴槽６７内に垂れ下がるホースが接続されている。そして、パイプ４０には、流出口４１から流入口４２に向かって湯を移送するポンプ４５が接続されている。これにより、ポンプ４５を作動させると、浴槽６７内の湯は流出口４１から流出し、二重構造床１０の床内部空間１５に蛇行して張り巡らされたパイプ４０内を流通した後、流入口４２から浴槽６７内に戻り、再び流出口４１から流出するという移動を繰り返し、循環する。なお、流出口４１にはストレーナが取り付けられており、湯中の汚れやゴミがパイプ４０内へ流入することが抑制されている。なお、湯温の低下を抑制するため、浴槽６７として断熱層を有するものを使用することが望ましく、浴室６６の下方の基礎部床下空間５５は、床暖房を行う時期は閉鎖空間とすることが望ましい。
【００３７】
次に、本実施形態の床暖房システムを使用した床暖房方法について説明する。冬季など低温の際は、暖房装置４７を動作させる。暖房装置４７によって加熱された空気は、送風機２１によりダクト２０内を床内部空間１５に向かって移送される。移送された空気はダクト２０からピット２５に流入し、ピット２５内で広げられた後、二重構造床１０の床内部空間１５に流入する。加熱された空気は、床内部空間１５を流通しながら上床部１１を下面側から暖める。また、ダクト２０を介して継続的に床内部空間１５に空気が圧送されることに伴い、床内部空間１５から空気が押し出され、吹出口１７から室内空間６０に暖かい空気が吹き出す。吹出口１７から吹き出した暖かい空気は、上床部１１を上面側から暖めると共に、室内空間６０の空気を暖めながら上昇する。上昇した空気が室内空間６０の上部（屋根裏空間６３）に達すると、暖房装置４７に取り込まれて再び加熱される。そして、加熱された空気は再びダクト２０を介して床内部空間１５に導入され、上記のような空気の移動が繰り返される。
【００３８】
浴槽６７に給湯して入浴した後は、ポンプ４５を作動させる。これにより、浴槽６７内の残り湯は流出口４１からパイプ４０に流入し、パイプ４０内を流通した後、流入口４２から浴槽６７内に戻り、再び流出口４１からパイプ４０内に流入するという移動を繰り返す。そして、床内部空間１５に張り巡らされたパイプ４０内を流通する湯は、床内部空間１５の空気と熱交換し、暖房装置４７によって加熱された空気を更に加熱する。加熱された空気は、上述したように上床部１１を下面側から暖めると共に、吹出口１７から室内空間６０に噴出し、上床部１１の上面や室内空間６０を暖めながら上昇する。
【００３９】
このように、本実施形態では、浴槽６７の残り湯の有する従来は「捨てられていた熱エネルギー」を熱源として、床暖房を行う。これにより、床暖房のための専用の熱源を要することなく、経費を抑えて床暖房をすることができる。また、風呂の残り湯の温度は、高くても４２℃程度であるため、床内部空間１５の空気が過度に加熱されることがない。従って、床材が高温となり得る従来の床暖房システムとは異なり、床材として耐熱性の高められた特殊な床材を使用する必要がなく、床材の選択の自由度が高い利点を有する。
【００４０】
加えて、本実施形態では、低温の際には大抵の家庭で使用される暖房装置４７を、単に室内空間６０の空気を暖めるために使用するのではなく、床暖房にも使用している。従って、風呂の残り湯と暖房装置４７という、共に床暖房のための専用の熱源ではない熱源どうしを併用することにより、経費を抑えて効率よく床暖房をすることができる。
【００４１】
また、床を二重構造床１０とし、床内部空間１５に加熱された空気を流通させると共に、床内部空間１５内にパイプ４０を配設する構成であり、二重構造床１０と基礎部床下空間５５との間には断熱部３０が設けられている。そのため、大きな容積を有する基礎部床下空間５５や熱容量の大きなコンクリートの基礎部５０に熱を奪われることなく、短時間で応答よく床を暖めることができる。また、基礎部床下空間５５を暖めないため、基礎部床下空間５５が害虫の発生しやすい環境となることを防止することができる。更に、基礎部床下空間５５を暖める場合は、空気の流通のために基礎部５０を処々で切断する必要があるが、本実施形態ではそのような必要はないため、基礎部５０の切断により建物１の強度が低下するおそれがない。
【００４２】
次に、本実施形態の床暖房システムを適用した建物１における温度変化を測定した結果を、図４を用いて説明する。図４は、暖房装置４７及び送風機２１を常時動作させ、暖房装置４７の吸気口の温度を約３８℃に維持した状態で、夜から翌日の午後にかけて残り湯を循環させた場合の測定結果である。床内部空間１５の気温の変化を８日間測定した結果を実線で示し、対比のために屋外の気温を破線で示している。また、図中では、残り湯の循環を開始した時刻（２０時頃）を矢印Ａで、残り湯の循環を停止した時刻（１４時頃）を矢印Ｂで示している。なお、湯温の低下を抑制するために、浴槽６７に蓋をした状態で湯を循環させている。
【００４３】
図４から、風呂の残り湯の循環を開始すると、床内部空間１５の気温は短時間で５〜６℃上昇していることが分かる。その後、湯温の低下に伴い床内部空間１５の気温も徐々に低下するが、屋外の温度が急激に低下する夜間にも関わらず、床内部空間１５の気温が急激に低下することはなかった。残り湯の循環を開始した時点では、湯の温度は約４０℃であったが、翌日その循環を停止した時の湯の温度は約２３℃であった。
【００４４】
つまり、残り湯の量を２００リットルとすると、残り湯は屋内を循環している間に約３４００ｋｃａｌの熱量を屋内のどこかに与えたことになる。そして、居住者の身体に接する上床部１１の温度は、残り湯の循環を開始してから３０分ほどで２℃〜３℃上昇し、室内空間６０の平均気温である１８℃〜２５℃と同等以上となった。床暖房を行わない場合、暖房装置により室内空間６０の温度を高めても床は冷たい感触があるが、床の温度が２℃〜３℃上昇することにより、冬季の夜間でも裸足で快適に過ごすことができる。建物の熱容量は大きいため、このように専用の熱源を使用することなく床の温度を２℃〜３℃上昇させられることは、大きな効果であると言うことができる。
【００４５】
また、湯を流通させるパイプを配設するのは二重構造床の内部という制限された空間であり、且つ、二重構造床と基礎部床下空間との間が十分に断熱されているため、夜から翌日の午後まで長時間にわたり湯を循環させても、湯温が大きく低下することなく、約２３℃以上という暖房のために使用できる温度に保つことができる。
【００４６】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４７】
例えば、本実施形態では、吹き抜け空間を有し、そこにダクトが立設されている場合を例示したが、これに限定されない。例えば、吹き抜け空間を有しない建物とし、一階部分の天井、二階部分の床、及び二階部分の天井を貫通するように、ダクトを立設させることができる。この場合、通気孔などを設けることにより各階の空間が通気され易い構成とすれば、建物全体で生じる暖かい空気を室内空間の上部に集め、集めた空気をダクトで床内部空間まで移送することができるため好適である。
【００４８】
更に、一階部分の床のみを二重構造床とする場合を例示したが、二階部分の床をも二重構造床とすることにより、二階の床についても床暖房を行う構成とすることもできる。この場合は、一階部分の床内部空間及び二階部分の床内部空間に、それぞれ空気を圧送するためのダクト及び送風機を別個に設けることができる。
【００４９】
また、上記の実施形態では、風呂の残り湯と暖房装置４７とを床暖房の熱源として併用する構成の建物１を例示したが、更に太陽光エネルギーを熱源として併用可能な構成の建物２とすることができる。この建物２は、図５に示すように、上記の床暖房システムの構成に加えて、屋根面に沿って形成された空気を流通可能な屋根通気空間７５と、屋根通気空間７５と連通したチャンバー８１と、チャンバー８１内の空気を室内空間６０に放出する第二送風機８２とを具備している。なお、建物１と同様の構成については同一の符号を付し、詳細な説明は省略する。
【００５０】
具体的に説明すると、建物２の屋根は、互いに離隔する上屋根７１と下屋根７２によって構成された二重構造屋根７０である。この二重構造屋根７０の内部の空間が、屋根通気空間７５である。チャンバー８１は、屋根裏空間６３において最も高い位置に函状に形成されており、周囲は断熱材によって被覆されている。そして、屋根通気空間７５は、屋外開口部７５ａで屋外と連通していると共に、屋内開口部７５ｂでチャンバー８１と連通している。
【００５１】
チャンバー８１の一部はダクト状に延出され、その端部には、チャンバー８１内の空気を室内空間６０に向かって放出可能に、第二送風機８２がやや下向きに取り付けられている。この第二送風機８２は、停止した際に送風口の蓋が閉じるタイプである。また、チャンバー８１の内壁には、チャンバー８１内の温度を検知して第二送風機８２の運転及び停止を切替える温度スイッチ（図示しない）が取り付けられている。そして、ダクト２０の上端が暖房装置４７の近傍で開口すると共に、第二送風機８２の近傍で開口するように、ダクト２０、暖房装置４７、及びチャンバー８１の位置関係が設定されている。
【００５２】
このような構成とすることにより、雨天の日中や夜間には、上記のように暖房装置４７を残り湯による床暖房の熱源として併用する一方、天気の良い日中は太陽光エネルギーを熱源として併用することができる。すなわち、太陽光によって加熱された屋根通気空間７５の空気がチャンバー８１内に流入することによって、チャンバー８１内の温度が予め定めた温度以上になったことを温度スイッチが検知すると、第二送風機８２が作動し、加熱された空気がチャンバー８１から室内空間６０に放出される。室内空間６０の上部の加熱された空気は、送風機２１によりダクト２０を介して床内部空間１５に移送される。床内部空間１５に移送された空気は、吹出口１７から吹き出して上昇し、新たにチャンバー８１から放出された空気と混合され、再びダクト２０を介して床内部空間１５に移送される。
【００５３】
本構成では、暖房装置４７を室内空間６０の上部に設け、ダクト２０の上端を室内空間６０の上部で開口させていることにより、自ずと上昇する暖かい空気を床暖房に活用できることに加え、太陽光により屋根通気空間７５で加熱された空気を、同じダクト２０で床内部空間１５に導入することが可能であり、太陽光エネルギーを床暖房の熱源として併用することができる。
【００５４】
なお、夏季など床暖房を行う必要がない時期は、チャンバー８１内の空間を屋外への排出口と連通させ、或いは屋根通気空間７５をチャンバー８１と連通させないことにより、太陽光で加熱された空気が室内空間６０に取り込まれない構成とする。また、上記の実施形態では暖房装置４７は冷暖房用のエアコンディショナであるため、夏季など気温が高い時期は、図示しない「囲い」を取り外した状態で暖房装置４７を冷房運転させることにより、低温の空気は高い位置から自ずと下降する。そして、送風機２１による空気の圧送方向を床暖房の時とは反対にすることにより、下降した低温の空気がダクト２０を介して室内空間６０の上部に移送される。つまり、夏季には不要となる床暖房のための設備を利用して、効率の良い冷房を行うことができる。
【符号の説明】
【００５５】
１，２  建物
１０  二重構造床
１１  上床部
１２  下床部
１５  床内部空間
１７  吹出口
２０  ダクト
２１  送風機
３０  断熱部
４０  パイプ
４１  流出口
４２  流入口
４５  ポンプ
４７  暖房装置
５５  基礎部床下空間
６０  室内空間
６１  一階空間（室内空間）
６２  二階空間（室内空間）
６３  屋根裏空間（室内空間）
６４  吹き抜け空間（室内空間）
６７  浴槽
【図１】
0006381449.tif 000002
【図２】
0006381449.tif 000003
【図３】
0006381449.tif 000004
【図４】
0006381449.tif 000005
【図５】
0006381449.tif 000006